(57)【要約】【課題】ハンドル部の強度を保持しつつより軽量化を図る。【解決手段】中心に繊維強化樹脂製の竿杆１０が通っており、グリップ部１２Ｇの前端部に環状の固定フード１２Ｂが、前方位置に移動フード１２Ａが対向配置されており、該移動フードの前側にはナット部材１２Ｎが配設され、前記グリップ部には、竿杆外径よりも大きな内径を有し、繊維強化合成樹脂製か合成樹脂製のグリップ筒１２ＧＴが配設され、該グリップ筒の前部と後部には、夫々、竿杆とグリップ筒とを連結する支持スペーサ１２Ｓ１，１２Ｓ２が配設され、該前後のスペーサ間は殆ど空洞状態であり、前部の支持スペーサは環状であり、該スペーサの後部は厚さ方向中間部が肉抜き空洞部ＳＰを有すると共に、空洞部の外側肉部ＮＡの外周面は前記グリップ筒内周面と接着固定されており、内側肉部ＮＢの内周面は竿杆外周面と接着固定されており、該内側肉部は外側肉部よりも後方に長く延伸しており、前記固定フードは、前記前部支持スペーサの前端部に設けた段差部ＤＳに嵌っている。【選択図】        図３
2005102547.tif 000002
【特許請求の範囲】
【請求項１】
ルアーロッドのハンドル部の構成であって、中心に繊維強化樹脂製の竿杆が通っており、グリップ部の前端部に環状の固定フードが位置し、その前方位置に移動フードが対向しており、該移動フードの前側には該移動フードを前後に移動させるナット部材が配設され、
前記グリップ部には、前記竿杆外径よりも大きな内径を有し、繊維強化合成樹脂製か合成樹脂製のグリップ筒が配設され、該グリップ筒の前部と後部には、夫々、竿杆とグリップ筒とを連結する支持スペーサが配設され、該前後のスペーサ間は殆ど空洞状態であり、前部の支持スペーサは環状であり、該スペーサの後部は厚さ方向中間部が肉抜き空洞部を有すると共に、空洞部の外側肉部の外周面は前記グリップ筒内周面と接着固定されており、内側肉部の内周面は竿杆外周面と接着固定されており、該内側肉部は外側肉部よりも後方に長く延伸しており、前記固定フードは、前記前部支持スペーサの前端部に設けた段差部に嵌っていることを特徴とするルアーロッド。
【発明の詳細な説明】
【技術分野】
【０００１】
本発明は、トラウトロッド等のルアーロッドに関するものである。
【背景技術】
【０００２】
ルアーロッドは片手で操作するため、特に軽量化が課題となる。竿杆自体の軽量化はともかくとして、一般に外径の大きなハンドル部は軽量化の工夫の余地がある。ハンドル部は、リールを装着する部分と握り用のグリップ部分とがあり、従来から、グリップ部分にはコルクや発泡性合成樹脂部材を用いて、把持感を向上させると共に軽量化を図っている。その一例が下記特許文献１に開示されている。
【特許文献１】特開２００３−１５８９６３号公報
【発明の開示】
【発明が解決しようとする課題】
【０００３】
しかし、上記公報に開示の構造は、グリップ領域の竿杆と外装体との間に発泡性樹脂を充填しているため、軽量化に対しては未だ改善の余地がある。また、ルアーロッドはハンドル部のグリップ部等を把持して種々の方向に捩るようにして操作するため、軽量化に伴って必要強度が低下する虞があり、強度保持の課題もある。
依って解決しようとする課題は、ハンドル部の強度を保持しつつより軽量化を図ることである。
【課題を解決するための手段】
【０００４】
本発明は、ルアーロッドのハンドル部の構成であって、中心に繊維強化樹脂製の竿杆が通っており、グリップ部の前端部に環状の固定フードが位置し、その前方位置に移動フードが対向しており、該移動フードの前側には該移動フードを前後に移動させるナット部材が配設され、前記グリップ部には、前記竿杆外径よりも大きな内径を有し、繊維強化合成樹脂製か合成樹脂製のグリップ筒が配設され、該グリップ筒の前部と後部には、夫々、竿杆とグリップ筒とを連結する支持スペーサが配設され、該前後のスペーサ間は殆ど空洞状態であり、前部の支持スペーサは環状であり、該スペーサの後部は厚さ方向中間部が肉抜き空洞部を有すると共に、空洞部の外側肉部の外周面は前記グリップ筒内周面と接着固定されており、内側肉部の内周面は竿杆外周面と接着固定されており、該内側肉部は外側肉部よりも後方に長く延伸しており、前記固定フードは、前記前部支持スペーサの前端部に設けた段差部に嵌っていることを特徴とするルアーロッドを提供する。
前後のスペーサ間は殆ど空洞状態であるとは、中間に１個か２個までの他のスペーサの存在を許容するが、それ以外は空洞であることを意味する。
【発明の効果】
【０００５】
グリップ筒は繊維強化合成樹脂製か合成樹脂製であるため薄肉化が可能であると共に、竿杆とグリップ筒とを連結する前後のスペーサ間は殆ど空洞状態であるため、軽量化に大きく寄与できる。更には、グリップ筒は繊維強化合成樹脂製か合成樹脂製であるため、適宜な肉厚で前後を内側から支持されるだけでグリップ部としての強度を保持できる。また、前部の支持スペーサは外側肉部と内側肉部との間に肉抜き空洞部を設けているため、その分軽量化に寄与する他、外側肉部が半径方向に撓み易い。グリップ部を把持した釣り操作ではグリップ部を幾分撓み変形させることも有り得るが、この場合グリップ筒のみを撓み変形させたのでは、グリップ筒の支持スペーサとの接着接合領域とその開放領域との境界部において応力集中が生じてグリップ筒が破損する虞が生じたり、また、接着接合部の剥離が生じる虞もある。
【０００６】
これらを防止するため、前記肉抜き空洞部の存在によって支持スペーサの全体肉厚に比べて薄く形成された外側肉部も共に撓み易く、これによりグリップ筒の破損や接着剥離を防止できる。更には、内側肉部は外側肉部よりも後方に長く延伸しているため、中心部に貫通している竿杆外周面に対する接着固定面積を長く（広く）採ることができ、前記グリップ筒や固定フードの保持基盤となる前部支持スペーサを、芯材である竿杆に対して強固に一体化できる。また、リール装着時に固定フードには後方に移動する力が作用するが、前述のように前部支持スペーサは竿杆に対して強固に一体化されているため、前部支持スペーサ前端部の段差部に嵌めている環状固定フードは、該前部支持スペーサを介して、後方移動しないように強く保持されている。
【発明を実施するための最良の形態】
【０００７】
以下、本発明を図面を用いて詳細に説明する。
図１は、本発明に係るルアーロッドとしてのトラウト竿の側面図であり、図２はそのハンドル部１２の拡大図、図３はハンドル部の半断面図であるが、図２とは上下を逆にして描いている。エポキシ樹脂等の合成樹脂をマトリックスとし、炭素繊維等の強化繊維で強化した繊維強化合成樹脂製元側竿杆１０と、これに対して逆並継式に継合わせられた同様な繊維強化合成樹脂製の先側竿杆１０’とを有している。仕舞い寸法を考慮して、両竿杆は概ね同じ長さである。
【０００８】
竿杆１０の後端部には、釣竿を操作するためのハンドル部１２が構成されており、その外径寸法を竿杆１０よりも適宜大径として、リールを装着したり、把持したり、釣竿操作し易いように構成している。
ハンドル部１２の前部適宜位置には、ＡＢＳ樹脂やナイロン材等の合成樹脂製のリールシート本体１２ＲＨが竿杆１０の外側に接着固定されている。この本体１２ＲＨの後端部位置には環状の固定フード１２Ｂが配設され、その前方には環状の移動フード１２Ａが配設されている。更に、移動フードの前側にはナット部材１２Ｎが設けられて、前記リールシート本体の前部外周に形成された雄ねじ部に螺合しており、ナット部材を回動させると移動フード１２Ａが前後移動する。
【０００９】
上記固定フード１２Ｂの後方領域はグリップ部１２Ｇであり、その後端には尻栓１２Ｓが装着されている。竿杆１０の後端位置はこの尻栓内にまで至っている。固定フードはアルミ製であり、移動フードは内側の本体部が合成樹脂製であり、表面部を固定フードと同じアルミ製の薄い筒としている。また、ナット部材は、内部の合成樹脂製本体部Ｈと、外部の筒Ｔと、それらの間を埋める発泡材の筒部材Ｋとの３層構造を成している。また、その前端部には端面部を覆うリング部材Ｒ１が装着されており、後端部外周にも他のリング部材Ｒ２が装着されている。これらＲ１，Ｒ２は軽量なアルミ製としている。筒Ｔは後述のグリップ筒１２ＧＴと同じ繊維強化合成樹脂製又は合成樹脂製である。
【００１０】
グリップ部１２Ｇの外周部には、竿杆外径よりも大きな内径を有し、繊維強化合成樹脂製か合成樹脂製の薄肉厚グリップ筒１２ＧＴが設けられている。ここでは、繊維強化合成樹脂製であり、更には装飾性を考慮して、外部から繊維束が交差状に織られた形態の視認できるよう構成している。その外径例は２５ｍｍ程度であり、その肉厚例は０．７ｍｍであり、０．５ｍｍ〜１．０ｍｍの範囲がよい。このグリップ筒１２ＧＴを、芯材である竿杆１０に保持させるために、前部と後部に環状の支持スペーサ１２Ｓ１，１２Ｓ２を介在させている。即ち、各支持スペーサの内周面は竿杆外周面に接着固定され、外周面はグリップ筒の内周面に接着固定されている。後部支持スペーサは環状ではなく、円周方向において幾つかに分割されたスペーサであってもよい。
【００１１】
前部の支持スペーサには、その後部側の肉厚方向中間部に肉抜き空洞部ＳＰを設けており、また、後部の支持スペーサにも同様な空洞部ＳＰ’を設け、軽量化に寄与している。後部支持スペーサにもいえることであるが、前部支持スペーサ１２Ｓ１について述べる。グリップ部１２Ｇを把持して釣り操作を行うと、グリップ筒１２ＧＴを強く握持することもあり、この場合、支持スペーサが撓まなければ、その接着接合領域とその開放領域である境界Ｐ１において、グリップ筒に応力集中が生じて破損等の損傷が発生する虞がある。また、接着接合部が剥離する虞もある。しかし、空洞部ＳＰの存在のために、外側肉部ＮＡが撓み易く、こうした応力集中や剥離を防止できる。
【００１２】
また、内側肉部ＮＢは、外側肉部よりも後方位置Ｐ２まで長く延伸形成されており、それだけ竿杆１０との接着面積を大きくでき、支持スペーサと竿杆との結合力を強くできると共に、位置Ｐ２とＰ１とが長手方向において一致していないため、グリップ部の握持力が大きい場合にも、支持スペーサ１２Ｓ１を介した竿杆１０に対する応力集中が緩和され、芯材としての竿杆１０の耐久性が向上する。
【００１３】
前部支持スペーサの前端部外周には、環状の段差部ＤＳが形成されており、環状の固定フード１２Ｂの後端部を嵌めつつ接着固定している。（スピニング）リールＳＲの装着時に、この固定フードには後方に移動する力が作用するが、記述の如く、支持スペーサ１２Ｓ１は竿杆に対して強固に接着固定されているため、この後方移動力に対抗できる。
【産業上の利用可能性】
【００１４】
本発明は、トラウトロッド等のルアーロッドに適用できる。
【図面の簡単な説明】
【００１５】
【図１】図１は本発明に係るルアーロッドの側面図である。
【図２】図２は図１のハンドル部の拡大図である。
【図３】図３は図２の半縦断面図であり、上下を逆にした図である。
【符号の説明】
【００１６】
１０，１０’              竿杆
１２                      ハンドル部
１２Ｂ                    固定フード
１２Ｇ                    グリップ部
１２ＧＴ                  グリップ筒
１２Ｓ１，１２Ｓ２        支持スペーサ
ＤＳ                      段差部
ＮＡ                      外側肉部
ＮＢ                      内側肉部
ＳＰ                      肉抜き空洞部
【図１】
2005102547.tif 000003
【図２】
2005102547.tif 000004
【図３】
2005102547.tif 000005